(57)【特許請求の範囲】
【請求項１】
加熱することで有効成分を蒸散可能な吸液部材を収納でき、蒸散された気体を外部に放出する蒸散孔を有する器体内に、前記吸液部材が挿通される筒状の加熱部材と、発熱素子を収納するとともに前記加熱部材の外周の一部に接続される収納部材とを有する発熱体を配設した加熱蒸散装置において、
前記加熱部材の上方に前記蒸散孔が配置され、前記収納部材の上方に前記器体の上壁部が配置され、前記収納部材からの上昇気流が前記吸液部材から蒸散される有効成分を含む蒸散気流を乱すことを抑制する整流手段を設けたことを特徴とする加熱蒸散装置。
【請求項２】
前記整流手段が、前記上昇気流が前記上壁部に当たった際に当該上昇気流が、前記蒸散口に向かって流れることを抑制するストッパ手段であることを特徴とする請求項１に記載の加熱蒸散装置。
【請求項３】
加熱することで有効成分を蒸散可能な吸液部材を収納でき、蒸散された気体を外部に放出する蒸散孔を有する器体内に、前記吸液部材が挿通される筒状の加熱部材と、発熱素子を収納するとともに前記加熱部材の外周の一部に接続される収納部材とを有する発熱体を配設した加熱蒸散装置において、
前記加熱部材の上方に前記蒸散孔が配置され、前記収納部材の上方に前記器体の上壁部が配置され、前記収納部材からの上昇気流によって方向を変えられた前記蒸散気流を前記蒸散口へと誘導する誘導手段を設けたことを特徴とする加熱蒸散装置。
【発明の詳細な説明】
【０００１】
【発明の属する技術分野】
本発明は、殺虫剤や芳香剤等を蒸散して殺虫や脱臭等を行う加熱蒸散装置に関し、詳しくは、器体の蒸散孔近傍の構造に特徴を有する加熱蒸散装置に関する。
【０００２】
【従来の技術】
従来、蚊等の害虫を駆除するための殺虫剤や、芳香剤等を室内に拡散するために、加熱蒸散装置が用いられている。
図９に、加熱蒸散装置の概略縦断面図を示す。加熱蒸散装置１１０は、器体上部１１２および器体下部１１３を、嵌着または接着等により組み合せてなる器体１１１を有し、器体１１１内に液体容器１２１を収納できるようになっている。液体容器１２１内には、殺虫成分や芳香成分等を含む液体が収容されている。そして、有底筒状の液体容器１２１の小径部１２１ａからは、当該容器１２１内の液体を吸い上げ可能な吸液芯１２２が外部に突出している。この液体容器１２１は、器体下部１１３の、開放された底部側から器体１１１内に装着される。
【０００３】
器体１１１内には、液体容器１２１の小径部１２１ａを係止する位置決め部材１１４が設けられている。そして位置決め部材１１４には、発熱体１１５がネジ１１４ａにより固定されている。発熱体１１５は、貫通孔を有するように平面視において環状に形成された、アルミナ磁器等のセラミックスからなる容器内に、例えば半導体（正特性サーミスタ等）やニクロム線等からなる発熱素子（図示せず）を収納して構成されている。
【０００４】
液体容器１２１を器体１１１内に装着した際には、液体容器１２１から突出した吸液芯１２２が発熱体１１５の貫通孔に挿通される。その状態で、発熱体１１５により吸液芯１２２を熱することで、吸液芯１２２に吸い上げられた液体容器１２１内の液体を蒸散させることができる。
【０００５】
器体１１１内には、発光体１１６が適宜の位置に固定されている。器体１１１の外壁に設けられたスイッチ１１７を操作し、電源コード１１７ａを介して発熱体１１５に電圧を印加して加熱蒸散装置１１０を作動させた際には、発光体１１６にも電圧が印加される。発光体１１６からの光は加熱蒸散装置１１０の作動・非作動を外部に表示する、光透過性材料からなる受光部材１１８に達する。
【０００６】
器体上部１１２の側壁部には、液体容器１２１内の残液量を外部から確認するための窓１１９が設けられている。また、器体上部１１２の上壁部には、吸液芯１２２から蒸散された気体を外部に放出するための蒸散孔１２０が設けられている。
【０００７】
前述した加熱蒸散装置１１０においては、発熱体１１５の、発熱素子を収納する容器（以下「収納部材」という）を、貫通孔を有するように環状に形成していたが、セラミックス等をこのような複雑な形状に形成する作業は煩雑であり、このことが製造コストの上昇を招いていた。
そこで収納部材を、例えば直方体等の形成が容易な形状にするとともに、金属等の熱伝導性材料からなる加熱部材を前記収納部材に接続して、その加熱部材によって液体容器から突出した吸液芯を熱するように、発熱体を構成することが提案されている。
【０００８】
図１０に、直方体状に形成された収納部材１３５ａと、筒状に形成され、収納部材１３５ａに隣接して接続されている加熱部材１３５ｂとからなる発熱体を備えた加熱蒸散装置１３０を示す。なおここでは、器体上部１３２の蒸散孔１４０近傍に、当該蒸散孔に指等の異物が侵入して当該蒸散孔を塞いでしまうことを防ぐ、異物侵入防止具１４５が取り付けられている。ここでは異物侵入防止具１４５として、１本の棒状部材が、蒸散孔１４０を横切るように当該蒸散孔に装架されている。
【０００９】
【発明が解決しようとする課題】
しかしながら、図１０に示した加熱蒸散装置１３０においては、器体上部１３２の蒸散孔１４０付近に、殺虫成分等の有効成分を含む液体が付着してしまうことがあった。器体上部１３２の外面に液体が付着していると、使用者の手指等を汚すことになり使い勝手が悪いばかりか、外観上も好ましくない。また、器体上部１３２の外面及び内面に有効成分を含む液体が多量に付着するようになると、蒸散効率が著しく低下してしまう。
さらに、器体上部１３２の内面に液体が多量に付着した場合、液体が器体内面を伝わって器体下部に流れていくことがあった。前記液体が器体下部に流れていくと、電源コードやスイッチなどの電気部品に悪影響を与えるばかりでなく、液体が床にこぼれ落ち、床を汚すおそれがあった。
【００１０】
本発明は、以上のような背景に基づいてなされたものであって、その目的は、器体に有効成分を含む液体を多量に付着させることなく作動可能な、加熱蒸散装置を提供することにある。
【００１１】
【課題を解決するための手段】
本発明者らは鋭意検討の結果、図１１に二点鎖線で示すように、収納部材１３５ａの発熱によって当該収納部材１３５ａから強い上昇気流が発生しており、その強い上昇気流が器体上部１３２の上壁部内面にぶつかった際に、気流の一部が蒸散孔１４０に向かって流れ、吸液芯１２２から蒸散された気体の流れを乱すことを見出した。吸液芯１２２から蒸散された気体の流れが乱されることで、器体上部１３２に液体Ｌが付着していたのである。
【００１２】
そして本発明者らは更なる鋭意検討の結果、加熱蒸散装置に、収納部材からの上昇気流が、吸液部材から蒸散される有効成分を含む蒸散気流を乱すことを抑制する整流手段を設けることで、器体に液体が付着することを顕著に阻止できることを見出した。
すなわち本発明に係わる前記目的は、加熱することで有効成分を蒸散可能な吸液部材を収納でき、蒸散された気体を外部に放出する蒸散孔を有する器体内に、前記吸液部材が挿通される筒状の加熱部材と、発熱素子を収納するとともに前記加熱部材の外周の一部に接続される収納部材とを有する発熱体を配設した加熱蒸散装置において、前記加熱部材の上方に前記蒸散孔が配置され、前記収納部材の上方に前記器体の上壁部が配置され、前記収納部材からの上昇気流が前記吸液部材から蒸散される有効成分を含む蒸散気流を乱すことを抑制する整流手段を設けたことを特徴とする加熱蒸散装置によって達成される。
【００１３】
また、本発明に係わる前記目的は、前記整流手段が、前記上昇気流が前記上壁部に当たった際に当該上昇気流が前記蒸散口に向かって流れることを抑制するストッパ手段であることを特徴とする加熱蒸散装置によって達成される。
また、本発明に係わる前記目的は、加熱することで有効成分を蒸散可能な吸液部材を収納でき、蒸散された気体を外部に放出する蒸散孔を有する器体内に、前記吸液部材が挿通される筒状の加熱部材と、発熱素子を収納するとともに前記加熱部材の外周の一部に接続される収納部材とを有する発熱体を配設した加熱蒸散装置において、
前記加熱部材の上方に前記蒸散孔が配置され、前記収納部材の上方に前記器体の上壁部が配置され、前記収納部材からの上昇気流によって方向を変えられた前記蒸散気流を前記蒸散口へと誘導する誘導手段を設けたことを特徴とする加熱蒸散装置によって達成される。
【００１４】
ここでストッパ手段及び誘導手段の形態は限定されないが、例えば、器体内面に設けた突起部材等を採用することができる。
器体の蒸散孔には、加熱蒸散装置の作動安定性向上のために異物侵入防止具を設けることが好ましい。異物侵入防止具は器体の内面側に設けて、吸液部材に近接配置させることが好ましい。なお異物侵入防止具の形態は限定されず、器体に着脱可能なものを用いてもよい。
収納部材の形態も限定されないが、図９に示したように断面視において吸液部材に関して対称であって、平面視において環状のもの等は含まれない。
【００１５】
このように構成された加熱蒸散装置によれば、収納部材からの上昇気流が吸液部材から蒸散される有効成分を含む蒸散気流を乱すことを抑制する整流手段によって、器体外面および内面の蒸散孔周辺に有効成分を含む液体が付着しなくなる。また、このように構成された加熱蒸散装置によれば、収納部材からの上昇気流によって方向を変えられた蒸散気流を蒸散口へと誘導する誘導手段によって、器体外面および内面の蒸散口周辺に有効成分を含む液体が付着しなくなる。したがって使い勝手がよく、蒸散効率もよい。
【００１６】
【発明の実施の形態】
以下、本発明の実施形態を図面に基づいて詳しく説明する。なお、以下に説明する実施形態において、既に説明した部材等については、図中に同一符号または相当符号を付すことにより説明を簡略化あるいは省略する。
【００１７】
図１に、本発明の第1実施形態を示す。加熱蒸散装置１０は、直方体に形成され、半導体（正特性サーミスタ等）やニクロム線等を収納した収納部材１５ａと、貫通孔を有するように筒状に形成された熱伝導性材料からなる加熱部材１５ｂとからなる発熱体を備えている。加熱部材１５ｂは、収納部材１５ａに接続され、収納部材１５ａに隣接する位置に配置されている。
【００１８】
器体上部１２の蒸散孔２０には、２本の棒状部材からなる異物侵入防止具２５が装架されている。ここで異物侵入防止具２５は、器体上部１２の内面に取り付けてあり、異物侵入防止具２５の、気体が最初に当たる箇所である下面と、蒸散孔２０の開口面との間には、所定の間隔Ｈ（例えば０．１〜５ｍｍ）があけられている。
なお、加熱部材１５ｂは、その貫通孔の中心が蒸散孔２０の中心の真下に配置されるように、収納部材１５ａに取り付けられている。また収納部材１５ａは、その真上付近に器体上部１２の上壁部の一部が位置するように、器体内に配置されている。
【００１９】
そして、器体上部１２内面の蒸散孔２０近傍の、収納部材１５ａの真上付近には、ストッパ手段としての突起部材２６が設けられている。
図２に、図１における加熱蒸散装置１０の平面図を示す。図２に示すように、加熱蒸散装置１０の器体上部１２内面には、一対の突起部材２６が、平面視において互いの間隔が蒸散孔２０に向かって狭くなるように（ハ字状に）設けられている。さらに詳しくは平面視において、突起部材２６は、収納部材１５ａから蒸散孔２０に向かう方向に対して４５°程度傾斜している。なおここでは、加熱部材１５ｂの図示を省略した。
【００２０】
この加熱蒸散装置１０を作動すると、図１に示すように、収納部材１５ａから上昇気流が発生する。そして、その気流が器体上部１２の上壁部内面にぶつかった際には、気流の一部が蒸散孔２０に向かって流れようとするが、突起部材２６によってその流れが止められて跳ね返されたり、その流れが一対の突起部材２６の内側に向かうように方向を変えられたりする。
【００２１】
以上のような構成の加熱蒸散装置１０によれば、器体上部１２内面に突設された一対の突起部材２６によって、吸液芯１２２から蒸散された気体の流れが、収納部材１５ａから発生した気流によって乱されることを顕著に抑制できる。したがって、器体上部１２に有効成分を含む液体が付着することはないので、使い勝手および蒸散効率がよい。
【００２２】
図３に、本発明の第２実施形態を示す。本実施形態は、断面視においては前述した第１実施形態と略同じ形態を有しており（図１参照）、図３には、本実施形態の平面図が示されている。
図３に示すように、器体上部３２の蒸散孔４０には、１本の棒状部材からなる異物侵入防止具４５が装架されている。そして、器体上部３２内面の蒸散孔４０近傍の、収納部材３５の真上付近には、収納部材３５ａから蒸散孔４０に向かう方向に対して垂直な方向に延びる突起部材４６が設けられている。さらに詳しくは平面視において、突起部材４６が、収納部材３５ａの蒸散孔４０側の辺に略重なるように、器体上部３２の上壁部内面に突設されている。
【００２３】
このような構成の加熱蒸散装置３０によれば、吸液芯１２２から蒸散された気体の流れが、収納部材３５ａから発生した気流によって乱されることを顕著に抑制できる。したがって、器体上部３２に有効成分を含む液体が付着することはないので、使い勝手および蒸散効率が極めてよい。
【００２４】
図４に、本発明の第３実施形態を示す。本実施形態も、断面視においては前述した第１実施形態と略同じ形態を有しており、図４には本実施形態の平面図が示されている。
図４に示すように、器体上部５２の蒸散孔６０には、２本の棒状部材からなる異物侵入防止具６５が、平面視において十字状になるように装架されている。そして、器体上部５２内面の蒸散孔６０近傍の、収納部材５５ａの真上付近には、一対の突起部材６６ａが、平面視において互いの間隔が蒸散孔６０に向かって狭くなるように設けられ、さらに収納部材５５ａから蒸散孔６０に向かう方向に対して垂直な方向に延びる突起部材６６ｂが設けられている。
【００２５】
このような構成の加熱蒸散装置５０によれば、吸液芯１２２から蒸散された気体の流れが、収納部材５５ａから発生した気流によって乱されることが、より顕著に抑制される。したがって、器体上部５２に有効成分を含む液体が付着することはないので、使い勝手および蒸散効率が極めてよい。
【００２６】
図５に、本発明の第４実施形態を示す。本実施形態も、断面視においては前述した第１実施形態と略同じ形態を有しており、図５には本実施形態の平面図が示されている。
図５に示すように、器体上部７２の蒸散孔８０には、２本の棒状部材からなる異物侵入防止具８５が、平面視において平行になるように装架されている。そして、器体上部７２内面の蒸散孔８０近傍の、収納部材７５ａの真上付近には、一対の突起部材８６ａが、平面視において互いの間隔が蒸散孔８０に向かって狭くなるように設けられ、さらにそれらの突起部材８６ａの蒸散孔８０側の端部に、収納部材７５ａから蒸散孔８０に向かう方向に対して垂直な方向に延びる突起部材８６ｂが設けられている。
【００２７】
このような構成の加熱蒸散装置７０によれば、吸液芯１２２から蒸散された気体の流れが、収納部材７５ａから発生した気流によって乱されることが顕著に抑制される。したがって、器体上部８２に有効成分を含む液体が付着することはないので、使い勝手および蒸散効率が極めてよい。
【００２８】
図６に、本発明の第５実施形態の斜視図を示す。第５実施形態である加熱蒸散装置９０の器体９１は、当該器体が設置される設置面に対して略垂直な接合面９１ａを介して組み合わされた器体左部９２と器体右部９３とを有している。器体左部９２及び器体右部９３は、それぞれ、設置面に対して略平行な上壁部９２ａ，９３ａと、それら上壁部と設置面とを接続する側壁部９２ｂ，９３ｂとを有している。器体左部９２の上壁部９２ａと側壁部９２ｂとは一体に成形され、器体右部９３の上壁部９３ａと側壁部９３ｂとは一体に成形されている。上壁部９２ａ，９３ａの接合面９１ａ側にはそれぞれ、切欠き９２ｃ，９３ｃが形成されている。上壁部９２ａ，９３ａの内面には、前記切欠きからそれら上壁部の面方向に突出する板状部材９２ｄ，９３ｄが設けられている。そして、器体左部９２及び器体右部９３を組み合わせることで、器体９１の上壁部に蒸散口１００が形成され、同時に、器体左部９２及び器体右部９３の上壁部内面に設けられた板状部材９２ｄ，９３ｄが隣接配置されることで、異物侵入防止具１０５が蒸散口１００内に形成されている。
【００２９】
ここで、器体左部９２及び器体右部９３は、射出成形等によって個別に形成されている。それらの成形金型における離型方向は、上壁部９２ａ、９３ａに沿った方向となる。したがって、例えば器体左部９２の上壁部９２ａに、第1実施形態のような突起部材２６（図２参照）を一体成形しようとすると、金型構造が複雑になってしまう。
【００３０】
図７に図６におけるVII−VII断面図を示す。加熱蒸散装置９０は、正特性サーミスタ等を収納した収納部材９５ａと、筒状に形成された加熱部材９５ｂとからなる発熱体を備えている。加熱部材９５ｂは、収納部材９５ａに接続され、収納部材９５ａに隣接する位置に配置されている。
ここでは、器体左部９２内に、収納部材９５ａと加熱部材９５ｂの収納部材９５ａに隣接する部分（図では加熱部材９５ｂの左半分）とが収納されている。一方、器体右部９３内には、加熱部材９５ｂの残りの部分が収納されている。また、器体右部９３内には、器体右部９３内面から接合面９１ａに対して直交する方向に突出して、加熱部材９５ｂ上方に配置された誘導部材１０４が、成形されている。
蒸散口１００内に形成された異物侵入防止具１０５において、気体が最初にあたる箇所である異物侵入防止具１０５の下面と、蒸散口１００の開口面との間には、所定の間隔Ｈがあけられている。
なお、加熱部材９５ｂは、その貫通孔の中心が蒸散孔１００の中心の真下に配置されるように、収納部材９５ａに取り付けられている。また収納部材９５ａは、その真上付近に器体上部の上壁部の一部が位置するように、器体内に配置されている。
【００３１】
図８に、図６における加熱蒸散装置９０の平面図を示す。誘導部材１０４は、平面視において加熱部材９５ｂと重ならないように加熱部材９５ｂの真上付近を円弧状に切り欠いた略半円形状を有し、器体右部９３の内部に収まるように器体右部９３内面に一体に成形されている。
また、異物侵入防止具１０５は、平面視において吸液芯１２２の上面を横断するように蒸散口１００内に形成されている。
【００３２】
この加熱蒸散装置９０を作動させると、図７に示すように収納部材９５ａから上昇気流が発生する。そして、その上昇気流が器体左部９２の上壁部内面に当たった際には、上昇気流の大部分は器体左部９２の側壁部内面に沿って器体の下部へと流れるが、その一部は器体右部９３側へと流れ、吸液芯１２２から蒸散された有効成分を含む気体の流れ（蒸散気流）を乱し、蒸散気流の一部の方向を変えていた。方向を変えられた前記蒸散気流の一部は、器体右部９３の内部に流れ込み、器体右部９３の上壁部内面及び側壁部内面に沿って流れていき、誘導部材１０４の上面に当たる。そして、この誘導部材１０４に沿って前記方向を変えられた蒸散気流の一部が、加熱部材９５ｂの上方へと誘導される。次いで、加熱部材９５ｂ上方まで誘導された気体は、加熱部材９５ｂの上昇気流に乗って再び蒸散口１００へと誘導され、加熱蒸散装置９０外へと放出される。
【００３３】
以上のような構成の加熱蒸散装置９０によれば、収納部材９５ａの強い上昇気流によって方向を変えられた蒸散気流は、誘導部材１０４によって加熱部材９５ｂ上方へと誘導され、加熱部材９５ｂから生じる上昇気流によって蒸散口１００から排出される。そのため、器体右部９３の器体上部の内面及び外面に有効成分を含む液体が付着することはない。また、蒸散気流が器体右部９３内面及び誘導部材１０４上面を通過する際にその一部が凝集し、微少量の液体が器体内面に付着しても、誘導部材１０４によってその液体が器体下部へと流れることを確実に防止できる。したがって、液体が電気部品や床などに流れることがなく、使い勝手がよい。
【００３４】
【実施例】
以下、実施例に基づいて本発明の顕著な効果を説明する。
（実施例１）
室内において、図４に示した構成の加熱蒸散装置（図１におけるＨ：２ｍｍ）に、アースノーマット９０日用（アース製薬（株）製）を装填して、１日２４時間連続で通電し、１５日間蒸散を行った。
比較として、図４に示した構成の加熱蒸散装置（図１におけるＨ：２ｍｍ）から突起部材６６ａ，６６ｂを取り除いたものに、アースノーマット９０日用を装填して、同様の蒸散試験を行った。
【００３５】
試験後、双方の加熱蒸散装置を観察したところ、突起部材６６ａ，６６ｂを有するものは、器体上部３２外面に液体が全く付着していなかったのに対して、突起部材を有しないものは、器体上部外面の蒸散孔付近に液体が付着し、その箇所が黄色に変色していた。
【００３６】
（実施例２）
室内において、図７に示した構成の加熱蒸散装置（Ｈ：２ｍｍ）に、アースノーマット９０日用（アース製薬（株）製）を装填して、１日２４時間連続で通電し、１５日間蒸散を行った。
比較として、図７に示した構成の加熱蒸散装置（Ｈ：２ｍｍ）から誘導部材１０４を取り除いたものに、アースノーマット９０日用を装填して、同様の蒸散試験を行った。
【００３７】
試験後、双方の加熱蒸散装置を観察したところ、誘導部材１０４を有するものは、器体上部外面の蒸散孔付近及び側壁部９３ｂ内面に液体が全く付着していなかったのに対して、誘導部材を有しないものは、器体上部外面の蒸散孔付近及び側壁部９３ｂ内面に液体が付着し、その箇所が黄色に変色していた。
【００３８】
【発明の効果】
以上詳細に説明したように、本発明の加熱蒸散装置は、器体に有効成分を含む液体が付着することなく長期間安定して作動する。したがって使い勝手および蒸散効率が極めて良好である。
【図面の簡単な説明】
【図１】本発明の第１実施形態を示す部分断面図である。
【図２】図１における平面図である。
【図３】本発明の第２実施形態を示す平面図である。
【図４】本発明の第３実施形態を示す平面図である。
【図５】本発明の第４実施形態を示す平面図である。
【図６】本発明の第５実施形態を示す斜視図である。
【図７】図６におけるVII−VII断面図である。
【図８】図６における平面図である。
【図９】従来の加熱蒸散装置を示す図である。
【図１０】従来の別の加熱蒸散装置を示す図である。
【図１１】図１０の加熱蒸散装置の作用を示す図である。
【符号の説明】
１０，３０，５０，７０，９０  加熱蒸散装置
１２，３２，５２，７２，９１  器体上部（器体）
１５ａ，３５ａ，５５ａ，７５ａ，９５ａ  収納部材
１５ｂ，９５ｂ  加熱部材
２０，４０，６０，８０，１００  蒸散孔
２５，４５，６５，８５，１０５  異物侵入防止具
２６，４６，６６ａ，６６ｂ，８６ａ，８６ｂ  突起部材（ストッパ手段）
９１ａ  接合面
９２ａ，９３ａ  上壁部
９２ｂ，９３ｂ  側壁部
１０４  誘導部材（誘導手段）
１２１  液体容器
１２２  吸液芯（吸液部材）
【図１】
0004205279.tif 000002
【図２】
0004205279.tif 000003
【図３】
0004205279.tif 000004
【図４】
0004205279.tif 000005
【図５】
0004205279.tif 000006
【図６】
0004205279.tif 000007
【図７】
0004205279.tif 000008
【図８】
0004205279.tif 000009
【図９】
0004205279.tif 000010
【図１０】
0004205279.tif 000011
【図１１】
0004205279.tif 000012